(57)【特許請求の範囲】
【請求項１】
ネットワーク上に投稿情報と編集情報の受付サイトと複数の情報提供サイトとを備えてなる電子サービスサイトを開設し、複数の投稿者端末と複数の利用者端末と複数のエディタ端末とが通信システムを介して接続するシステム管理部を備え、投稿情報の収集・編集・配信を行なう情報サービスシステムの運営方法であって、
該複数のエディタ端末からの位置情報を伴う投稿募集を受け付けて、募集投稿情報保存部に格納するステップと、
位置検出装置を備えた該投稿者端末からの現在位置情報を受け付けて、該募集投稿情報保存部に格納される該投稿者端末の現在位置情報と一致する該投稿募集を検索し、この検索された該投稿募集を該投稿者端末に提供するステップと、
該投稿者端末からの投稿要求を受け付けて、該投稿要求が該投稿募集に伴うものであるか否かを判定し、その判定結果に基づいて、該投稿情報を投稿情報データベースに区分けして格納するステップと、
該エディタ端末からの検索と編集のアクセス要求を受け付け、該投稿情報データベースに格納されている該投稿情報の検索と編集、及び該編集された投稿情報を、編集済投稿情報として、取得して利用者データベースに格納するステップと、
該利用者端末からの情報提供のアクセス要求を受け付けて、該利用者データベースに格納されている該編集済情報を検索し、検索された該編集済情報を該利用者端末に提供するステップと
ことを特徹とする情報サービスシステムの運営方法。
【請求項２】
請求項１において、
前記情報サービスシステムは、地図データベースを備え、
前記検索された投稿募集を前記投稿端末に提供するステップでは、前記投稿者端末からの前記現在位置情報を受け付けると、この現在位置を含む所定領域の地図の情報を該地図データベースから検索し、この検索された地図の情報と検索された前記投稿募集とを前記投稿者端末に提供する
ことを特徴とする情報サービスシステムの運営方法。
【発明の詳細な説明】
【技術分野】
【０００１】
本発明は、投稿者から投稿情報を受け、これが広く利用者に利用できるようにして情報のサービスを行なう投稿情報のネットサービスシステムに関する。
【背景技術】
【０００２】
近年、ネットワークを利用した情報のサービスが広く行なわれている。その一例として、ユーザが希望する地域を、端末の画面上で、仮想的に散策できるようにしたシステムが知られている（例えば、特許文献１参照）。
【０００３】
具体的には、投稿者からの種々の記事が投稿されると、投稿サーバでは、これを空間的位置に関係付けられて格納され、ユーザが散策したい地域を散策端末に入力すると、その地図が表示されるとともに、その地図での散策経路に沿った投稿記事が投稿サーバから読み取られ、地図上の仮想的な散策に伴う現在位置を示すマークの移動とともに、その進路沿いの店などの投稿サーバから読み取った情報を表示するものである。
【０００４】
他の従来例として、情報投稿クライアントが地図とその特定の位置を説明した文章とを投稿すると、これが情報共有サーバに登録され、情報閲覧クライアントがこの登録されている情報を利用することができるようにした技術が知られている（例えば、特許文献２参照）。
【０００５】
この特許文献２に記載の技術では、情報投稿クライアントが投稿する情報はある地域の地図のうちの一部のものであり、情報共有サーバでは、かかる地域の基準地図を有しており、情報投稿クライアントが投稿する情報はこの基準地図に関連付けて登録される。情報閲覧クライアントは、情報共有サーバから、この地域全体の文章の情報を検索して利用することができるし、また、その一部を指定することにより、その部分の情報を検索して利用することができる。
【０００６】
さらに他の従来例として、投稿会員からサークルや催し物などの募集や自分の欲しい物の提供を募るなどのための情報を投稿すると、これがサーバマシンに一旦登録され、この登録された情報を審査作業者が所定のマニュアルに従って審査し、この審査を経た情報を一般ユーザに公開する技術が知られている（例えば、特許文献３参照）。
【０００７】
この特許文献３に記載の技術での審査は、情報の一部を修正したり、内容によって公開を拒絶したりする場合も含み、拒絶するものはその旨投稿会員に通知する。
【特許文献１】特開平１１ー３１６５４１号公報
【特許文献２】特開平１１ー３５３４６５号公報
【特許文献３】特開平１１ー３０６１００号公報
【発明の開示】
【発明が解決しようとする課題】
【０００８】
しかしながら、投稿者が提供する生の情報は膨大であって、かつその内容も多種多様であり、しかも、その情報の形式も投稿者によってまちまちである。このような投稿情報を上記従来の技術で取り扱う場合、その利用者にとっては、かかる投稿情報の中から自分の希望する情報を取得することは容易なものではない。
【０００９】
本発明の目的は、かかる問題を解消し、このような投稿情報を利用者が利用し易い形に編集して提供することができるようにした投稿情報の情報サービスシステムとそのサーバ、及びその運営方法を提供することにある。
【課題を解決するための手段】
【００１０】
上記目的を達成するために、本発明は、ネットワーク上に投稿情報と編集情報の受付サイトと複数の情報提供サイトとを備えてなる電子サービスサイトを開設し、複数の投稿者端末と複数の利用者端末と複数のエディタ端末とが通信システムを介して接続するシステム管理部を備え、投稿情報の収集・編集・配信を行なう情報サービスシステムの運営方法であって、複数のエディタ端末からの位置情報を伴う投稿募集を受け付けて、募集投稿情報保存部に格納するステップと、位置検出装置を備えた投稿者端末からの現在位置情報を受け付けて、募集投稿情報保存部に格納される投稿者端末の現在位置情報と一致する投稿募集を検索し、この検索された投稿募集を投稿者端末に提供するステップと、投稿者端末からの投稿要求を受け付けて、投稿要求が投稿募集に伴うものであるか否かを判定し、その判定結果に基づいて、投稿情報を投稿情報データベースに区分けして格納するステップと、エディタ端末からの検索と編集のアクセス要求を受け付け、投稿情報データベースに格納されている投稿情報の検索と編集、及び編集された投稿情報を、編集済投稿情報として、取得して利用者データベースに格納するステップと、利用者端末からの情報提供のアクセス要求を受け付けて、利用者データベースに格納されている編集済情報を検索し、検索された編集済情報を利用者端末に提供するステップとことを特徹とする。
【００１１】
また、本発明は、情報サービスシステムが、地図データベースを備え、検索された投稿募集を投稿端末に提供するステップでは、投稿者端末からの現在位置情報を受け付けると、この現在位置を含む所定領域の地図の情報を地図データベースから検索し、この検索された地図の情報と検索された投稿募集とを投稿者端末に提供することを特徴とする。
【発明の効果】
【００１２】
本発明によると、投稿情報をエディタが採用して編集することにより、利用者が利用可能となるので、エディタによっても利用可能な投稿情報が選択されることになり、選択された有用な投稿情報のみが利用可能となって、利用者としては、無駄な投稿情報の検索が少なくなって検索の手間が簡略化されるし、また、編集済情報は編集したエディタ毎に区分されて利用に供されることになるから、利用者の気に入ったエディタを基にしても編集済情報の検索が可能となり、利用者にとって利用し易い投稿情報を得ることができるようになる。
【００１３】
また、本発明によると、投稿情報がエディタや利用者によるその使用形態に応じてポイントが付加されるものであるから、投稿者の細やかな評価が可能となるし、投稿者の投稿意欲を高めることにもなり、また、エディタについても、自分が編集した投稿情報の利用程度に応じてポイントが付加されるものであるから、エディタの評価も可能となるし、また、編集意欲を高めることにもなる。
【発明を実施するための最良の形態】
【００１４】
以下、本発明の実施形態について図面を用いて説明する。  
図１は本発明による情報サービスシステムとそのサーバ、及びその運営方法の一実施形態を示すブロック図であって、１はサーバ、２は利用者のモバイル端末、３は利用者兼投稿者のモバイル端末、４は投稿者のモバイル端末、５はエディタ（編集者）の端末、６はネットワーク、７は無線通信回線、８は家庭用のパソコン、９はカーナビゲータである。
【００１５】
同図において、インターネットや電話回線，専用回線などのネットワーク６に情報のサービス会社のサーバ１や複数のエディタの端末５が接続されており、また、複数の利用者のモバイル端末２や複数の利用者兼投稿者のモバイル端末３，複数の投稿者のモバイル端末４が、無線通信回線７を介して、ネットワーク６に接続可能となっている。なお、以下の説明では、利用者とそれが所有するモバイル端末とは、同一符号でもって表わすことにする。例えば、利用者２が所有するモバイル端末も「モバイル端末２」と表わすことにする。
【００１６】
ここで、モバイル端末２，３，４は、図示して示すモバイル端末３について説明すると、かかるシステムでの利用情報などを表示するためのディスプレイ装置３ａやビデオカメラ３ｂ，通信やディスプレイ装置の画面操作を行なうための操作部３ｃ，無線通信回線７やネットワーク６を介しての通信やモバイル端末の位置検出（例えば、ＧＰＳや基地局情報を用いる）などを行なうための通信装置３ｄ，端末の制御を行なうＣＰＵ３ｅ，各種情報やＣＰＵ３ｅのプログラムなどを記憶するメモリ３ｆ，端末の外部装置（カーナビゲータ９や家庭用のパソコン８など）などとの接続のための端子部３ｇなどを備えている。
【００１７】
図２はかかるモバイル端末の外観の一具体例を、モバイル端末３を例として示すものであって、３ｈは表示画面、３ｉはマイクロホン、３ｊはアンテナ、３ｋは電源ボタン、３ｍはスピーカ、３ｎはタッチペン、３ｐはシャッタボタンであり、図１に対応する部分には同一符号を付けている。
【００１８】
図２（ａ）はかかるモバイル端末３の表面側を、同図（ｂ）はその裏面側を夫々示すものであって、その表面側にディスプレイ装置３ａ（図１）の表示画面３ｈやマイクロホン３ｉ，スピーカ３ｍなどが設けられており、左側面に電源ボタン３ｋが、裏面にビデオカメラ３ｂのレンズやタッチペン３ｎなどが夫々設けられている。また、モバイル端末３の上面には、通信のためのアンテナ３ｊやビデオカメラ３ｂのシャッタ３ｐが設けられている。この表示画面３ｈはタッチパネルが設けられたタッチ式の、例えば、液晶表示画面であって、これが図１での操作部３ｃをなし、タッチペン３ｎを用いて表示画面３ｈに表示されるメニューの選択や各種動作のための操作を行なうことができる。
【００１９】
かかるモバイル端末３は手１０で持ち運びができる程度（モバイル）の大きさであり、カメラ３ｂの撮像画像が表示画面３ｈに表示され、シャッタボタン３ｐを操作することにより、そのときの撮像画像が静止画像として取り込まれる。この静止画像は、表示画面３ｈに表示させることもできるし、無線通信回線７や端子部３ｇを介して外部に出力させることもできるし、メモリ３ｆに蓄積させることもできる。さらには、無線通信回線７を介して送信された所望の情報を取り込んで、表示画面３ｈに表示させたり、メモリ３ｆに蓄積させることもできる。このような選択は、タッチペン３ｎによる選択操作によって行なうことができる。
【００２０】
かかるモバイル端末３は、図３（ａ）に示すように、家庭用のパソコン８に接続し、このパソコン８に用いることもできる。この場合には、メモリ３ｆに蓄積されている画像などの情報をパソコン８に供給し、これを画面表示したり、あるいはパソコン８の画像や文字などの情報を取り込んでメモリ３ｆに蓄積することもできる。
【００２１】
また、モバイル端末３は、図３（ｂ）に示すように、自動車内に載置してカーナビゲータ９と接続して使用することができる。例えば、モバイル端末３で無線通信回線７から受信した情報、あるいはビデオカメラ３ｂの撮像画像をカーナビゲータ９で表示させるようにすることもできる。
【００２２】
図１に戻って、この実施形態は、情報のサービス会社が投稿者４や利用兼投稿者３からの投稿を収集し、これを、利用者２や利用兼投稿者３が利用し易いように、エディタ５が編集，加工するようにして、利用者２や利用兼投稿者３に提供サービスするものである。ここで、このシステムでは、会員制が採られており、利用者２や利用兼投稿者３，投稿者４は会員となっている。これら会員には、サービス会社がサーバ１との通信を行なうためのプログラムと夫々に固有のパスワード（利用者２や利用兼投稿者３には利用パスワード、利用兼投稿者３，投稿者４には投稿パスワード）とが提供されている。そこで、モバイル端末２，３，４とサーバ１との通信を行なう場合には、ＣＰＵ３ｅが与えられたプログラムに基づいて通信装置３ｄを動作させ、与えられたパスワードを用いてサーバ１との通信の許可を採る。
【００２３】
一方、サーバ１には、かかる会員の名称やパスワードなどからなる会員名簿データベース（ＤＢ）１ａが設けられており、図示しない照合手段により、モバイル端末２，３，４からのパスワードをこの会員名簿データベース１ａのパスワードと照合し、これによって会員であることが確認されると、通信を許可する。また、エディタ５はサービス会社と契約しており、契約した各エディタ５もプログラムとパスワードが与えられ、かかるエディタ５の名称やパスワードなどからなるエディタ名簿データベース１ｂが設けられている。エディタ５もそのパスワードを用いてサーバ１にアクセスできるのであるが、システム管理部１ｍでの監視部１ｒがエディタ５からのパスワードをこのエディタ名簿データベース１ｂのパスワードと比較し、一致するものがあれば、そのアクセスを許可する。
【００２４】
利用兼投稿者３や投稿者４は、自身が得た情報（これを、以下、投稿情報という）を投稿の形式でサービス会社に投稿することができ、このために、かかる情報をパスワードとともに無線通信回線７とネットワーク６とを介してサーバ１に送信する。かかる投稿情報としては、利用兼投稿者３や投稿者４が得る彼自身の生活環境での情報，人の口から口へと伝わってくるクチコミ情報，歩き回ったり、車などで移動したりしたときに得られる環境情報などどのような情報であっても、利用兼投稿者３や投稿者４自身が有益と思われるものであればどのような情報でもよいし（以下、かかる投稿情報を任意投稿情報という）、また、利用兼投稿者３や投稿者４が企業や店舗などである場合の広告であってもよいし（これを、以下、広告投稿情報という）、あるいはまた、エディタ５がテーマを設定して募集する投稿情報（これを、以下、募集投稿情報という）であってもよい。利用兼投稿者３や投稿者４は、かかる投稿情報を送信する場合には、これらを区別して送信するようにする。例えば、広告投稿情報や募集投稿情報には夫々、これらを明示するインデックスが付加されて送信されるようにし、任意投稿情報はインデックスを付加しない形式にするなどの方法がある。これにより、サーバ１は投稿情報の種類を区別することができる。なお、利用兼投稿者３や投稿者４は、募集投稿情報にその募集元のエディタ５を判別するためのエディタコードも付加する必要がある。これら広告投稿情報や募集投稿情報は、以上のようなルールが守られていないときには、サーバ１で任意投稿情報と判別されるようにする。
【００２５】
サーバ１では、利用兼投稿者３や投稿者４から投稿情報が送られてくると（即ち、利用兼投稿者３や投稿者４から投稿があると）、システム管理部１ｍの監視部１ｒがこの投稿情報の種類を判別し、さらに、投稿情報チェック部１ｎがその内容が有益であるか否かをチェックし、有益な情報であれば、その種類に応じて任意投稿情報は任意投稿情報データベース１ｃに、広告投稿情報は広告投稿情報データベース１ｄに、募集投稿情報は募集投稿情報保存部１ｆに夫々格納される。ここで、上記のようにテーマを設定しての投稿の募集はエディタ５毎に行なわれるものであり、このため、募集投稿情報保存部１ｆでは、エディタ５毎に保存領域が区分されており、利用兼投稿者３や投稿者４からの募集投稿情報は、その募集元のエディタ５に該当する保存領域に格納されることになる。
【００２６】
なお、エディタ５の投稿募集は、そのテーマや投稿募集したエディタ５の名称を募集投稿情報保存部１ｆに格納することによって行なわれ、利用兼投稿者３や投稿者４はこの募集投稿情報保存部１ｆをアクセスすることにより、いつでも投稿募集が行なわれていることを知ることができる。
【００２７】
また、このように、利用兼投稿者３や投稿者４から投稿があると、システム管理部１ｍの情報評価部１ｐは、その投稿情報の種類などに応じて、投稿した利用兼投稿者３や投稿者４にポイント（投稿ポイント）を与える。この投稿ポイントとしては、
（１）投稿したことに対するポイント：基本ポイント
（２）最新の情報内容の投稿情報に対するポイント：最新情報ポイント
（３）エディタの募集による投稿情報に対するポイント：募集情報ポイント
（４）地域のプレミア情報に対するポイント：地域プレミア情報ポイント
（５）エディタが採用して編集，加工した投稿情報に対するポイント：
エディタ採用ポイント
（６）投稿情報の利用頻度に応じたポイント：アクセスポイント
などがあり、これらのポイントはその重要度に応じて値が異なる。なお、エディタ採用ポイント及びアクセスポイントについては、後述する。このように設定される投稿ポイントは、会員名簿データベース１ａの該当する会員の欄に格納される。利用兼投稿者３や投稿者４にかかるポイントを付与することにより、そのポインタに応じて、例えば、
（１）施設の利用料金や商品の購入料金の割引サービス
（２）ポイント数に応じた景品の引替え
（３）他のシステムでのポイントサービスへの変換
（４）ソフトウェア（上記のプログラム）のバージョンアップの無料化
（５）サービス料金の割引
などといった特典があるようにする。このように所定の特典が得られるようにすることにより、利用兼投稿者３や投稿者４の投稿の意欲を維持できるようにしている。
【００２８】
一方、エディタ５は、以上のような投稿情報を選択し、編集加工して利用者２や利用兼投稿者３が利用することができるようにする。このため、エディタ５は自身のバスワードをサーバ１に送ってアクセスの許可を求め、サーバ１は、システム管理部１ｍの監視部１ｒでこのパスワードとエディタ名簿データベース１ｂに登録されているパスワードとを比較し、これらが一致すれば、このエディタ５は登録されているエディタとしてアクセスを許可する。
【００２９】
アクセスが許可されたエディタ５は、サーバ１内の任意投稿情報データベース１ｃと広告投稿情報データベース１ｄと募集投稿情報保存部１ｆでの該当する保存領域とをアクセスすることができ、これらから所望とする投稿情報を選択して取り込んで編集加工し、編集済情報として編集済情報保存部１ｅに保存する。この編集済情報保存部１ｅは、図４に示すように、登録されたエディタ５1，５2，……，５n毎に保存領域が設定されており、この修正加工された投稿情報は編集済情報保存部１ｅでのこれを修正加工したエディタ５に割り当てられた保存領域に格納される。この制御は、システム管理部１ｍの監視部１ｒによって行なわれる。また、このようにエディタ５が採用して編集加工した投稿情報を提供した利用兼投稿者３や投稿者４に対し、システム管理部１ｍの情報評価部１ｐが上記のエディタ採用ポイントが与えられる。
【００３０】
なお、各エディタ５は任意投稿情報データベース１ｃと広告投稿情報データベース１ｄに格納されている任意の情報を選択して編集することができるから、同じ任意投稿情報や広告投稿情報が複数のエディタ５によって編集加工されて編集済情報保存部１ｅに保存されることもある。
【００３１】
利用者２や利用兼投稿者３は、このようにエディタ５によって編集加工された投稿情報を利用することができる。従って、このように投稿情報を利用する場合、利用者２や利用兼投稿者３がサーバ１でのアクセスできる領域は、編集済情報保存部１ｅのみである。このような場合、利用者２や利用兼投稿者３は自己のパスワードをサーバ１に送って編集済投稿情報の利用のためのアクセスの許可を求める。サーバ１では、システム管理部１ｍの監視部１ｒがこの受け取ったパスワードと会員名簿データベース１ａに格納されているパスワードとを比較し、会員か否かの確認を行ない、会員であることを確認すると、この要求があった利用者２や利用兼投稿者３の編集済情報保存部１ｅへのアクセスを許可する。
【００３２】
ここで、利用者２や利用兼投稿者３が修正加工された投稿情報を利用する仕方としては、
（イ）編集済情報保存部１ｅに格納されている全ての投稿情報を利用対象とす
る場合
（ロ）特定のエディタによって編集加工された投稿情報に限る場合
がある。利用者２や利用兼投稿者３が、編集済情報保存部１ｅをアクセスする場合、エディタ５も指定すると、システム管理部１ｍの監視部１ｒの制御のもとに、上記（ロ）のアクセスが可能であり、かかる指定をしないと、上記（イ）のアクセスが可能である。投稿情報の編集加工の方法やその結果の情報のフォーマットなどはエディタ５に応じて異なり、また、このようなフォーマットなども利用者２や利用兼投稿者３によって好みなどがあり、特定のエディタによる修正加工投稿情報のみを利用する傾向の利用者２や利用兼投稿者３もあり得る。このようなことから、上記のように、利用するエディタを特定することができるようにしている。
【００３３】
投稿情報アクセスカウンタ１ｉは、利用者２や利用兼投稿者３が編集済情報保存部１ｅでの希望する投稿情報をアクセスして利用すると、この投稿情報に対してカウントアップする。これにより、編集済情報保存部１ｅでの各投稿情報毎にその利用頻度が集計される。編集済情報保存部１ｅでの各投稿情報は、システム管理部１ｍの情報評価部１ｐにより、この利用頻度に応じて、上記のアクセスポイントが与えられる。また、エディタアクセスカウンタ１ｊは、利用者２や利用兼投稿者３が編集済情報保存部１ｅでの希望する投稿情報をアクセスするとき、エディタ５も指定すると、即ち、特定のエディタ５が編集加工した投稿情報を利用すると、この指定されたエディタ５に対してカウントアップする。これにより、エディタ５毎にその指定頻度が集計され、その結果がエディタ５の評価の１つの基準となる。かかる評価も、システム管理部１ｍでの情報評価部１ｐで行なわれる。投稿者ポイントカウンタ１ｓは、エディタ５が編集，加工のために任意投稿情報を採用すると、この任意投稿情報を提供した投稿者４や利用兼投稿者３にエディタ採用ポイントを与えるものである。
【００３４】
さらに、サーバ１には、管理者であるサービス会社に投稿する会員（利用者２や利用兼投稿者３，投稿者４）の意見（例えば、投稿情報やエディタ５に対する評価など）を掲載する会員意見投稿部１ｇと、会員同士の意見交換を図るための会員掲示板１ｈとが設けられており、会員意見投稿部１ｇには、会員やエディタ５など誰でもアクセスすることができ、会員掲示板１ｈには、会員がアクセスすることができる。
【００３５】
管理部１ｎの監視部１ｒは、投稿情報チェック部１ｎのチェック結果から、特定の利用兼投稿者３や投稿者４の投稿情報が不適切な場合、その利用兼投稿者３や投稿者４に対して警告を発したり、警告を発しても不適切な情報を投稿するなど改まらない場合には、その利用兼投稿者３や投稿者４に対して会員除名の処置を採る。この場合には、その会員のパスワードを無効にし、サーバ１へアクセスできないようにする。また、管理部１ｎの監視部１ｒは、会員意見投稿部１ｇでの会員によるエディタ５の評判やエディタアクセスカウンタ１ｊでのエディタ指定頻度の結果などから各エディタ５を評価し、不適切なエディタに対しては、上記の会員の場合と同様にして、警告を発したり、サーバ１へのアクセスを不能にする。
【００３６】
システム管理部１ｍの課金部１ｑは、編集済情報保存部１ｅの編集加工後の投稿情報を利用した会員（即ち、利用者２や利用兼投稿者３）に対する使用料や会員（即ち、利用兼投稿者３や投稿者４）からの広告投稿情報に対する手数料（広告料）の請求，エディタ５への契約料の支払いなどを行なう。また、利用者課金カウンタ１ｋは、会員（利用者２や利用兼投稿者３といった投稿情報を利用する者）毎の利用回数をカウントするものであり、この回数は会員名簿データベース１ａの該当する会員の所に格納される。課金部１ｑは、会員毎に、この会員名簿データベース１ａの利用回数をみて、その利用回数に応じた使用料を請求する。
【００３７】
なお、図１では、サーバ１における通信手段や各種情報の検索手段，制御手段などは省略している。
【００３８】
ここで、この実施形態での情報や料金等の流れについて、図５により、説明する。
【００３９】
図５（ａ）はその一具体例を示すものであって、４ａ，４ｂは投稿者、１１は投稿情報コンテンツ、１２は編集済情報、１３はキャリアであり、図１に対応する部分には同一符号を付けている。
【００４０】
同図において、投稿者４ａ（利用兼投稿者３であってもよい）が投稿情報をサービス会社に送ると、サーバ１の任意投稿情報データベース１ｃや募集投稿情報保存部１ｆ（図１）に投稿情報コンテンツ１１として保存され、また、投稿者４ｂ（利用兼投稿者３であってもよい）が広告情報をサービス会社に送ると、サーバ１の広告投稿情報データベース１ｄ（図１）に投稿情報コンテンツ１１として保存される。エディタ５は、このようにして収集された投稿情報コンテンツ１１を選択し、これを編集加工してサーバ１に送る。かかる投稿情報コンテンツは、編集済情報１２として、サーバ１の編集済情報保存部１ｅ（図１）に保存される。このようにして、投稿者４ａ，４ｂが提供した投稿情報コンテンツ１１のうちの一部または全部が、利用者が利用可能な編集済情報１２として、サーバ１に保存される。
【００４１】
利用者２（利用兼投稿者３でもよい）は、いつでもこの編集済情報１２を利用することができる。利用者２がこの編集済情報１２を利用すると、サービス会社（この場合、上記のように、サーバ１のシステム管理部１ｍ）から使用料の請求があり、これに応じて利用者２がサービス会社にコンテンツの使用料を支払う。そして、利用者２が利用した編集済情報１２が投稿者４ａの投稿情報とすると、サービス会社は、この投稿情報が利用されたことによる使用料をこの投稿者４ａに支払うとともに、この投稿情報が利用されたことによって上記のアクセスポイントとこれを加算した現在の累計ポイントをこの投稿者４ａに通知する。かかる動作は、システム管理部１ｍの監視部１ｒの制御のもとに行なわれる。
【００４２】
また、サービス会社は、エディタ５に契約料を支払う。この契約料としては、利用者２が編集済情報１２を利用するときにこのエディタ５を指定したときには（あるいはこのエディタ５が編集加工した編集済情報１２を利用したときも含めてもよい）、これに応じたエディタ５の評価を行ない、その評価額を含めるようにしてもよい。
【００４３】
なお、利用者２は、編集済情報１２を利用するために使用したネットワーク６（図１）の使用料（通信料）を、ネットワーク６の管理者（キャリア）に支払うことになる。
【００４４】
図５（ｂ）はこの実施形態での情報や料金等の流れの他の具体例を示すものである。
【００４５】
この具体例は、利用者２が編集済情報の使用料を、この編集済情報を作成したエディタ５に支払うものである。一方、このエディタ５は、利用者２から受けた使用料のうちその一部を、投稿情報コンテンツ１２を編集加工するために利用するときのサーバ１の使用料として、サービス会社に支払う。但し、このエディタ５が投稿情報コンテンツ１１のうちの広告情報を編集加工したときには、エディタ５がサービス会社に支払うサーバ１の使用料は、この広告情報の編集加工に対して決められた金額分差し引かれる。
【００４６】
次に、図１における会員のモバイル端末の操作について説明する。
【００４７】
図６は図１における投稿者（利用兼投稿者３や投稿者４）のモバイル端末の投稿のための操作とこれに対するサーバ１の動作とを示すフローチャートである。また、図７及び図８はこの投稿操作時にモバイル端末の表示画面に表示される画像を示す図である。
【００４８】
以下では、このモバイル端末を投稿者４のモバイル端末（即ち、モバイル端末４）として説明するが、利用兼投稿者３のモバイル端末についても同様である。
【００４９】
図６及び図７において、いま、図２に示すモバイル端末４で電源ボタン３ｋを操作し、電源をＯＮにすると（ステップ１００）、自動的にこのモバイル端末４に登録されている会員Ｎｏといった投稿パスワードやＩＤコードがサーバ１に送信される（ステップ１０１）。
【００５０】
サーバ１は、このモバイル端末４からの投稿パスワードやＩＤコードを図示しない通信手段で受信すると、上記のように、これら投稿パスワードやＩＤコードと会員名簿データベース１ａ（図１）でのパスワードやＩＤコードと照合し（ステップ１０２）、これによって会員でないことが確認されると、サーバ１へのアクセスを拒否する返答をモバイル端末４に送る（ステップ１０３）。会員であることを確認した場合には、サーバ１はモバイル端末４にその現在位置を確認する（ステップ１０４）。このために、サーバ１はモバイル端末４に現在位置確認の指令を送る。モバイル端末４では、電源がＯＮすると、通信装置３ｄによって常時その現在位置を検出しており、サーバ１から現在位置確認の指令を送ると、そのときの検出結果をサーバ１に送る。
【００５１】
そこで、サーバ１は、この現在位置情報からモバイル端末４の現在位置を含む所定領域の地図の情報を別途設けられた地図データベースから検索し（ステップ１０５）、さらに、この所定領域内で上記のエディタ５による所定テーマの投稿の募集広告があるか否かを募集投稿情報保存部１ｆ（図１）で検索し（ステップ１０６）、それがない場合には、上記の所定領域の地図の情報を、それがある場合には、この募集広告の情報とともに（ステップ１０７）、上記の所定領域の地図の情報を夫々モバイル端末４に送信する（ステップ１０８）。
【００５２】
そこで、モバイル端末２では、その表示画面３ｈに、図７（ａ）に示すように、このモバイル端末２の現在位置１５の近辺の地図１４が表示される。この場合、エディタによる投稿情報の募集広告があれば、この内容が、例えば、画面の下部などの領域１６に表示される。画像情報を投稿する場合、カメラモードに切り換わると、この表示状態が所定時間経過すると、ビデオカメラ３ｂからの撮像画像が表示された状態となり、かかる状態でシャッタボタン３ｐ（図２）を操作することによってビデオカメラ３ｂで撮影すると、図７（ｂ）に示すように、その撮影画像１７が静止画像として表示され、また、その上部に「投稿」，「保存」，「編集」，「削除」などの選択項目を表わす欄１８も表示される（ステップ１００）。
【００５３】
そして、項目「投稿」を選択すると、図７（ｃ）に示すように、この撮影画像１７に関する必要な事項の入力画面が表示される。そこで、この画面に表示される五十音表１９をタッチペン３ｎ（図２）でタッチしながら撮影対象物の名称を入力し（図７（ｄ））、その撮影対象物のジャンルを選択入力し（図７（ｅ））、さらに、サブジャンルを選択入力し（図７（ｆ））、さらに、五十音表１９をタッチペン３ｎでタッチしながら撮影対象物に関するコメントを「テキスト」（文章）として入力すると（図７（ｆ））、図７（ｇ）に示すように、現在位置の近辺の地図２０が表示され、タッチペン３ｎにより、これに撮影対象物２１の位置を指定すると、この地図に関する情報に基づいてこの撮影対象物２１の位置情報が作成される（以上、ステップ１１１）。なお、このコメントとしては、マイクロホン３ｉを用いて、音声で入力することができる。しかる後、「投稿する」ボタン２２をタッチ操作すると、撮影画像１７や上記の各入力事項情報（図７（ｇ）での撮影対象物２１の位置情報も含む）が投稿情報としてサーバ１に送信される（ステップ１１２）。このとき、モバイル端末４では、送信中であることを示す図７（ｈ）で示すような画面が表示される。そして、送信が終了すると、例えば、図７（ａ）に示すような地図画面の表示状態に戻る。
【００５４】
なお、この場合、かかる入力事項情報には、投稿する投稿者４の名称や任意，広告，募集などの投稿情報の種類などの情報も付加されている。
【００５５】
サーバ１では、モバイル端末４からの投稿情報などを受けると（ステップ３１１）、この投稿パスワードと会員名簿データベース１ａ（図１）でのパスワードとを照合し（ステップ１１４）、これによって会員でないことが確認されると、サーバ１へのアクセスを拒否する返答をモバイル端末４に送る（ステップ１１５）。会員であることを確認した場合には、この投稿者４に対して投稿したことによる上記の基本ポイントを加算するために（ステップ１１６）、投稿者ポイントカウンタ１ｓ（図１）を動作させて会員名簿データベース１ａのこの投稿者４の部分に格納するとともに、受信した情報の中に音声情報があるか否かの状態確認が行なわれ（ステップ１１８）、音声によるコメント情報がある場合には、これを文章に変換（テキスト変換）した後（ステップ１１９）、テキスト（即ち、文章）の内容がチェックされる（ステップ１２０）。
【００５６】
このチェックの結果、内容に問題のない投稿情報であることが判明すると、この投稿情報の名称（図７（ｅ）に示す名称）やジャンルと同じものが任意投稿情報データベース１ｃ（図１）に存在するか否かを検索し（ステップ１２１）、もしなければ、この投稿者４に対して上記の最新情報ポイントを与えるべく（ステップ１２２）、投稿者ポイントカウンタ１ｓを動作させる（ステップ１２４）。また、この受信した投稿情報があるエディタに対する募集投稿情報である場合には（ステップ１２１）、この投稿者４に対して上記の募集情報ポイントを与えるべく（ステップ１２３）、投稿者ポイントカウンタ１ｓを動作させる（ステップ１２４）。さらに、この受信した投稿情報が地域のプレミア情報である場合には（ステップ１２１）、その地域を地図で参照し（ステップ１２５）、この投稿者４に対して上記の地域プレミア情報ポイントを与えるべく（ステップ１２６）、投稿者ポイントカウンタ１ｓを動作させる（ステップ１２４）。以上のようなポイントが加算される場合には、これによってポイントアップしたことを、この受信した投稿情報を提供した投稿者４に通知する（ステップ１２９）。
【００５７】
以上のような投稿情報の種類の確認とポイントの加算，通知とが行なわれた後、この受信した投稿情報は、その種類が確認され（ステップ１２７）、任意投稿情報であれば任意投稿情報データベース１ｃに、広告投稿情報であれば広告投稿情報データベース１ｄに、募集投稿情報であれば募集投稿情報データベース１ｆの投稿募集したエディタの領域に夫々格納される（ステップ１２８）。
【００５８】
なお、ステップ１２０で受信した投稿情報のテキストの内容に問題があると判定された場合には、会員名簿データベース１ａに保持されているこの投稿情報を提供した投稿者４の履歴に記録し（ステップ１３０）、この受信した投稿情報を削除する（ステップ１３１）とともに、この投稿者４に警告する（ステップ１３２）。また、この警告がたび重なると、除名通知を行なう場合もある（ステップ１３２）。
【００５９】
ところで、モバイル端末４でのステップ１１１において、例えば、図７（ｄ）に示す位置入力の画面で「追加」ボタン２３をタッチ操作すると、図８（ａ）に示すように、追記画面２４が表示され、そこに、タッチペン３ｎにより、必要な情報を書き込んで追加することができる。そして、情報の追加が終了して「ＯＫ」ボタン２５をタッチ操作すると（図８（ｂ））、図８（ｃ）に示すように、タッチペン３ｎで情報の追加があったことが画像２６によって表示され、しかる後、「投稿する」ボタン２２をタッチ操作すると、この追加の情報が上記の投稿情報に含まれてサーバ１に送信され（ステップ１１２）、図８（ｄ）に示す画面が表示される。
【００６０】
以上のようにして、利用兼投稿者３や投稿者４が、図７や図８で示すように、表示画面の指示に基づいて投稿情報を作成することができるし、また、投稿しようとする撮影対象物２１の位置情報をサーバ１からの地図上にタッチペン３ｎでタッチ装置するだけで作成されるものであるから、だれでも容易に所望とする情報の投稿することができるものであり、また、サーバ１では、投稿情報の種類毎に格納データベースを異ならせてエディタ５からのアクセスを容易にし、投稿情報の内容に応じて投稿者のポイントを増加させることにより、投稿者の投稿意欲の維持と投稿情報の質の向上を図ることができる。
【００６１】
次に、利用者２や利用兼投稿者３がサーバ１に保存されている編集済情報を利用する場合について説明する。このための編集済情報の検索の仕方としては、ここでは、
（イ）特定のエディタを指定して検索（エディタからの検索、即ち、お気に入
りのエディタの編集済情報を利用する場合）
（ロ）ジャンルからの検索
（ハ）ヘルプ検索（例えば、緊急に情報を得たい場合）
があり、以下、これらについて説明する。なお、以下では、利用者２が検索するものとして説明するが、利用兼投稿者３の場合も同様である。
【００６２】
《エディタからの検索》
図９は特定のエディタを指定して所望とする編集済情報を検索する場合の図１における利用者２のモバイル端末（即ち、モバイル端末２）の操作とこれに対するサーバ１の動作とを示すフローチャートである。また、図１０はこの検索時にモバイル端末２の表示画面３ｈ（図２）に表示される画像を示す図である。
【００６３】
図９において、ステップ２００〜２０９は図６でのステップ１００〜１０９と同様であり、モバイル端末２の表示画面３ｈに、図１０（ａ）に示すように、このモバイル端末２の現在位置１５の近辺の地図１４が表示される。この場合、エディタによる投稿情報の募集広告があれば、この内容が、例えば、画面の下部などの領域１６に表示される。この表示状態が所定時間経過すると、編集済情報の検索方法を選択するための「エディタ」ボタン２７，「ジャンル」ボタン２８，「ヘルプ」ボタン２９の各タッチボタンを表示した図１０（ｂ）に示すようなメニュー画面となる。
【００６４】
そこで、タッチペン３ｎ（図２）で「エディタ」ボタン２７をタッチ選択すると（ステップ２１０）、その選択を示す情報がサーバ１に送られる。サーバ１では、このモバイル端末２の利用者に対して登録されているエディタの有無を検索し（ステップ２１１）、登録されていれば、そのエディタのリストを他の必要な情報とともにモバイル端末２に送り（ステップ２１２）、登録されていなければ、例えば、エディタ名簿データベース１ｂ（図１）に保存されている利用者２の指定回数によるエディタのランキングを参照し（ステップ２１３）、その上位ランキングのエディタを選択して（ステップ２１４）、そのリストを他の必要な情報とともにモバイル端末２に送る（ステップ２１２）。
【００６５】
このモバイル端末２では、これら情報を受けると、図１０（ｃ）に示すように、例えば、画面の上部の表示欄３０にエディタリストに含まれるエディタ名の一覧が表示される。この一覧から、例えば、エディタＡをタッチ選択すると（ステッタ２１６）、図１０（ｄ）に示すように、表示欄３１にこのエディタＡが編集した投稿情報の「駐車場」，「レストラン」，「アミューズメント」，「ファション」などといった投稿情報のジャンルを表示したメニュー画面が表示される（ステップ２１７）。このメニュー画面で所定のジャンネル、例えば、「レストラン」をタッチ選択すると（ステップ２１８）、その選択を示す情報がサーバ１に送られる。
【００６６】
サーバ１では、この情報を受けると、編集済情報保存部１ｅ（図１）で指定されたエディタＡが編集加工したこの指定ジャンル「レストラン」に関する編集済情報を検索し（ステップ２１９）、これがあれば、モバイル端末２の現在位置近辺でのレストランの位置を示した地図情報と夫々のレストランの編集済情報とをモバイル端末２に送信する。これがなければ、上記のようにしてモバイル端末２の現在位置を確認し（ステップ２２１）、ステップ２１２でモバイル端末２に送信したエディタリストのうちの利用者２が選択したエディタＡ以外のエディタが選択されたものとし（ステップ２２２）、このエディタから投稿された編集済情報の有無を検索する（ステップ２２３）。これでもなければ、エディタ名簿データベース１ｂ（図１）に登録されているさらに他のエディタについて同様のことを行ない、これでもなければ、モバイル端末２にその旨のメッセージを送るが（ステップ２２８）、あれば、ステップ２２０に移って上記のような情報をモバイル端末２に送信する。
【００６７】
なお、このようにして、いずれかのエディタの編集済情報をモバイル端末２に送信すると、アクセス記録が行なわれることになり（ステップ２２４）、このモバイル端末２に送信した編集済情報を採用して編集加工したエディタに対して、エディタアクセスカウンタ１ｊが指定回数をカウントし（ステップ２２５）、このエディタに対するランキングを修正するとともに、評価額に反映させる（但し、ステップ２１０で、即ち、図１０（ｄ）に示す画面で実際に利用者が選択したエディタに対し、上記のアクセス記録を行なうようにしてもよい。これにより、実際に利用者２が指定された回数でもってエディタを評価することができる）。また、利用者課金カウンタ１ｋ（図１）がこの利用者に対する料金請求回数をカウントし、所定期間内（例えば、１日，１週間，１ヶ月など）の累計の請求回数を会員名簿データベース１ａ（図１）の該当する個所に格納する。これは、後の課金部１ｑ（図１）でのこの利用者２に対する料金請求のときに用いられる。
【００６８】
モバイル端末２では、サーバ１からステップ２２０による情報を受けると、図１０（ｅ）に示すように、指定したジャンル「レストラン」の位置が表示された上記現在位置近辺の地図が表示される（ステップ２２９）。そして、その表示されるレストランのＡ店〜Ｆ店の中からいずれか１つをタッチ選択すると（ステップ２３０）、その選択情報がサーバ１に送信される。そこで、サーバ１では、この選択情報に基づいて編集済情報保存部１ｅ（図１）でこの選択されたレストランＡ店に関する編集済情報を検索し（ステップ２３１）、これをモバイル端末２に送信する（ステップ２３２）。この結果、このモバイル端末２では、図１０（ｆ）に示すように、編集済情報によるこのレストランＡ店の詳細内容（例えば、その外観写真や店内画像，住所，電話番号，コメントなど）を示す画像３２が表示される。
【００６９】
また、サーバ１では、ステップ２３１で該当する編集済情報を検索すると、この編集済情報に対してアクセス記録を行なう（ステップ２３３）。これは、この編集済情報を利用した利用者２に対して、利用者課金カウンタ１ｋ（図１）が利用回数をカウントアップし、これを会員名簿データベース１ｃの該当する個所に格納する（ステップ２３４）とともに、編集済情報を投稿した利用者２に対して、投稿情報アクセスカウンタ１ｉ（図１）をカウントアップし、この利用者２のランキングを修正するとともに、アクセスポイントを加算してポイントの修正を行なう。
【００７０】
このようにして、エディタと希望する情報のジャンルとを指定することにより、利用者２の現在位置近辺でのこの指定したジャンルの店舗や施設などの位置を知ることができるようにした地図と、選択して店舗や施設などの詳細内容を示す情報が所持するモバイル端末２に表示されることになる。従って、利用者２は、どこに居ても、現在位置での自分が必要とする店舗や施設などの所在を直ちに知ることができて、そこに行くことができる。また、自分の気に入ったエディタを指定して編集した編集済情報を利用できるので、常に見慣れた編集済情報を利用できることになり、利用者２にとって利用し易いものとなっている。
【００７１】
また、エディタとしても、利用者２によって指定されることにより、自身のポイントでもって評価され、これに応じた評価額が得られるものであるから、利用者２が利用し易い編集をするのに意欲が湧くことになり、このシステムが利用者２にとってますます利用し易くいものとなる。
【００７２】
さらに、利用者２によって投稿した情報が利用されると、その利用された情報を投稿した利用者２がポイントが高まってより評価されることにより、投稿料も増加することから、有益な情報の投稿に意欲を増すことになる。
【００７３】
《ジャンルからの検索》
図１１は特定のジャンルを指定して所望とする編集済情報を検索する場合の図１における利用者２のモバイル端末の操作とこれに対するサーバ１の動作とを示すフローチャートである。また、図１２はこの検索時にモバイル端末２の表示画面３ｈ（図２）に表示される画像を示す図である。
【００７４】
図１１において、ステップ３００〜３０９は図９でのステップ２００〜２０９と同様であり、モバイル端末２の表示画面３ｈに、図１２（ａ）に示すように、図１０（ａ）と同様の画面が表示され、さらに、所定時間の経過後、図１２（ｂ）に示すように、図１０（ｂ）と同様のメニュー画面となる。
【００７５】
そこで、タッチペン３ｎ（図２）で「ジャンル」ボタン２８をタッチ選択すると（ステップ３１０）、図１２（ｃ）に示すように、「レストラン」，「ショッピング」，「エンターテインメント」，「アート」といったジャンルの一覧３３を示すジャンルメニュー画面が表示され（ステップ３１１）、そのうちの１つ、例えば、ジャンル「レストラン」をタッチ選択すると、図１２（ｄ）に示すように、「和食」，「洋食」，「中華」，「ファーストフード」といったサブジャンルのメニュー３４が表示され、そのうちの１つ、例えば、「洋食」を選択すると（ステップ３１２）、その選択を示す情報がサーバ１に送られる。
【００７６】
サーバ１では、この選択情報に基づき、編集済情報保存部１ｅ（図１）において、このジャンル「レストラン」でサブジャンルが「洋食」といった編集済情報をもつエディタを検索する（ステップ３１３）。編集済情報保存部１ｅでは、各編集済情報にかかるジャンルを示す情報が付加されている。エディタが１つの場合には、モバイル端末２の現在位置近辺でのこのエディタが推薦するレストランの位置を示した地図情報と夫々のレストランの編集済情報とをモバイル端末２に送信する（ステップ３１７）。ステップ３１３の検索の結果得られるエディタが複数の場合には、この利用者２がお気に入りのものとして登録しているエディタを選び（ステップ３１４）、また、お気に入りのものがなかったり、複数であったりする場合には、これまでの各エディタの履歴（上記のエディタランキングでもよい）を参照して、全てのエディタのうちの、あるいは複数のお気に入りのエディタのうちの最もアクセス回数の多いものを選び（ステップ３１６）、上記のように、モバイル端末２の現在位置近辺でのこのエディタが推薦するレストランの位置を示した地図情報をモバイル端末２に送信する（ステップ３１７）。
【００７７】
なお、このようにして、エディタの推薦を示す情報をモバイル端末２に送信すると、このエディタに対して、エディタアクセスカウンタ１ｊが指定回数をカウントし（ステップ３２４）、このエディタに対するランキングを修正するとともに（ステップ３２５）、評価額に反映させる。
【００７８】
いま、この選ばれたエディタがエディタＡとすると、モバイル端末２では、図１２（ｅ）に示すように、このエディタＡが「和食」として推薦するレストランの位置が表示された上記現在位置近辺の地図とエディタＡの推薦であることを示す、例えば、「エディタＡのおすすめ」という案内とが表示される（ステップ３１８）。そして、その表示されるレストランのＡ店〜Ｆ店の中からいずれか１つをタッチ選択すると（ステップ３１９）、その選択情報がサーバ１に送信される。そこで、サーバ１では、この選択情報に基づいて編集済情報保存部１ｅ（図１）でこの選択されたレストランＡ店に関する編集済情報を検索し（ステップ３２０）、これをモバイル端末２に送信する（ステップ２３２）。この結果、このモバイル端末２では、図１２（ｆ）に示すように、編集済情報によるこのレストランＡ店の詳細内容（例えば、その外観写真や店内画像，住所，電話番号，コメントなど）を示す画像３５が表示される。
【００７９】
また、図１２（ｅ）に示す画面で指定されたレストランの編集済情報をサーバ１がモバイル端末２に送信すると（ステップ３２０，３２１）、この編集済情報に対してアクセス記録を行なう（ステップ３２６）。これは、この編集済情報を利用した利用者２に対して、利用者課金カウンタ１ｋ(図１)が利用回数をカウントアップし、これを会員名簿データベース１ｃの該当する個所に格納する（ステップ３２７）とともに、編集済情報を投稿した利用者２や投稿者４に対して、投稿情報アクセスカウンタ１ｉ(図１)をカウントアップし（ステップ３２８）、この利用兼投稿者３または投稿者４のランキングを修正するとともに（ステップ３２９）、アクセスポイントを加算してポイントの修正を行なう。
【００８０】
このようにして、ジャンルからも利用者２の現在位置近傍について、先のエディタからの検索と同様の効果が得られる。
【００８１】
《ヘルプ検索》
図１３はヘルプを指定して所望とする編集済情報を検索する場合の図１における利用者２のモバイル端末の操作とこれに対するサーバ１の動作とを示すフローチャートである。また、図１４はこの検索時にモバイル端末２の表示画面３ｈ（図２）に表示される画像を示す図である。
【００８２】
図１３において、ステップ４００〜４０９は図９でのステップ２００〜２０９と同様であり、モバイル端末２の表示画面３ｈに、図１４（ａ）に示すように、図１０（ａ）と同様の画面が表示され、さらに、所定時間の経過後、図１４（ｂ）に示すように、図１０（ｂ）と同様のメニュー画面となる。そこで、タッチペン３ｎ（図２）で「ヘルプ」ボタン２９をタッチ選択すると（ステップ４１０）、その選択を示す情報がサーバ１に送られる。
【００８３】
サーバ１では、この選択情報に基づき、編集済情報保存部１ｅ（図１）において、この「ヘルプ」の項目（緊急を要する施設などの種類であって、例えば、病院，警察，トイレ，薬局，現金出入機など）毎にその編集済情報をもつエディタを検索する（ステップ４１１）。なお、編集済情報保存部１ｅに図４に示したようにエディタ毎に区分されて保存される編集済情報には夫々、これを編集加工するエディタの判断によって、「ヘルプ」に関する情報であれば、そのヘルプ項目も付加されている。
【００８４】
１つのエディタが全てのヘルプ項目についてモバイル端末２の現在位置近辺に関する編集済情報をもつ場合には、モバイル端末２の現在位置近辺の地図情報とこの地図内でヘルプ項目を示す情報をモバイル端末に送信し（ステップ４１４）、また、全項目が複数のエディタにわたる場合には、上記地図上にあるヘルプ施設に関する夫々のエディタの編集済情報をヘルプ項目毎に、かつ重複しないように抽出し（ステップ４１２）、そのレイヤー（各ヘルプ項目とエディタとの関係を示すリスト）を作成し（ステップ４１３）、モバイル端末２の現在位置近辺の地図情報とこの地図内に当て嵌まるヘルプ項目を示す情報をモバイル端末２に送信する（ステップ４１４）。
【００８５】
これと同時に、上記のように編集済情報を採用したエディタに対して、エディタアクセスカウンタ１ｊが指定回数をカウントし（ステップ４１６）、このエディタに対するランキングを修正するとともに（ステップ４１７）、評価額に反映させる。
【００８６】
そこで、モバイル端末２では、図１４（ｃ）に示すように、このモバイル端末２の現在位置近辺の地図１４と表示欄２６にその地図上に存在する「ヘルプ」の施設に関するヘルプ項目の一覧３６とが表示される。そこで、例えば、ヘルプ項目「トイレ」をタッチ選択すると、図１４（ｄ）に示すように、この表示されている地図１６上に、トイレの位置（即ち、使用可能なトイレを持つ施設）が表示される。この中から所望のものをタッチ選択すると（ステップ４１８）、その選択情報がサーバ１に送信される。
【００８７】
そこで、サーバ１では、この選択情報に基づいて編集済情報保存部１ｅ（図１）でこの選択されたヘルプ施設に関する編集済情報を検索し（ステップ４１９）、これをモバイル端末２に送信する（ステップ４２０）。この結果、このモバイル端末２では、図１４（ｅ）に示すように、編集済情報によるこのヘルプ施設の詳細内容（例えば、その外観写真やコメントなど）を示す画像３７が表示される。
【００８８】
また、サーバ１は、編集済情報をモバイル端末２に送信すると（ステップ４１９，４２０）、この編集済情報に対してアクセス記録を行なう（ステップ４２１）。これは、この編集済情報を利用した利用者２に対して、利用者課金カウンタ１ｋ（図１）が利用回数をカウントアップし、これを会員名簿データベース１ｃの該当する個所に格納する（ステップ４２２）とともに、この編集済情報を投稿した利用兼投稿者３や投稿者４に対して、投稿情報アクセスカウンタ１ｉ(図１)をカウントアップし（ステップ４２３）、この利用兼投稿者３または投稿者４のランキングを修正するとともに（ステップ４２４）、アクセスポイントを加算してポイントの修正を行なう。
【００８９】
このようにして、現在位置での緊急に必要とする施設の情報も簡単に得ることができ、また、先のエディタからの検索と同様の効果が得られる。
【００９０】
次に、エディタ５による投稿情報の編集加工について、図１５により、説明する。
【００９１】
同図において、エディタ端末５では、電源がＯＮしてソフトウェアが起動すると（ステップ５００）、自動的にエディタ５の登録ＮｏやＩＤコードからなるパスワードがサーバ１に送信される（ステップ５０１）。サーバ１では、このエディタ端末５からのパスワードを図示しない通信手段で受信すると、このパスワードとエディタ名簿データベース１ｂ（図１）でのパスワードとを照合し（ステップ５０２）、これによって登録されていないことが確認されると、サーバ１へのアクセスを拒否する返答をエディタ端末５に送る（ステップ５０３）。登録されていることを確認した場合には、その旨をそのエディタ端末５に通知する。
【００９２】
そこで、エディタ端末５では、編集の種類を選択できる編集用画面が表示される（ステップ５０４）。そこで、新たな投稿情報の編集，加工する場合には、その編集の種類のうちの項目「新規作成」を選択すると（ステップ５０５）、投稿情報の種類（任意投稿情報，広告投稿情報，募集投稿情報）が選択可能な画面が表示され、ここで、そのうちの１つ、例えば、任意投稿情報を指定すると（ステップ５０６）、検索条件を入力する画面に変わる。そこで、例えば、検索条件となる地名を検索し（ステップ５０７）、その地名を入力すると（ステップ５０８）、以上の指定情報や入力情報がサーバ１に送られる。
【００９３】
そこで、サーバ１では、上記の指定された投稿情報、即ち、任意投稿情報が格納されている任意投稿情報データベース１ｃ（図１）について、この入力された地名での任意投稿情報を提供した投稿者４や利用兼投稿者３を検索してそのリストを作成し（ステップ５０９）、これをエディタ端末５に送信する（ステップ５１０）。エディタ端末５では、このリストが表示され（ステップ５１１）、エディタはそのいずれかまたは全部を選択できる。かかる選択をすると（ステップ５１２）、この選択情報がサーバ１に送信される。
【００９４】
そこで、サーバ１では、任意投稿情報データベース１ｃにおいて、選択された投稿者４や利用兼投稿者３が投稿した指定地名での任意投稿情報を検索し（ステップ５１３）、さらに、その指定地名の地図を検索し（ステップ５１４）、この検索の結果得られた任意投稿情報と地図情報とをエディタ端末５に送信する（ステップ５１５）。このとき、サーバ１は、検索した任意情報を提供した投稿者４または利用兼投稿者３のポイントに対し、投稿者ポイントカウンタ１ｓ（図１）でエディタ５に採用されたことによるエディタ採用ポイントを加算する（ステップ５１６）。
【００９５】
一方、エディタ端末５では、サーバ１から供給される情報により、指定した地名の地図と任意投稿情報とが表示される（ステップ５１８）。そして、この投稿情報を編集，加工して所定の操作を行なうと（ステップ５１８）、この編集済情報がこのエディタ端末５に保存されるとともに（ステップ５１９）、サーバ１に送信され、エディタ名などの所定の情報が付加されて編集済情報保存部１ｆに保存される（ステップ５２０）。
【００９６】
このようにして、任意投稿情報がエディタによって編集，加工されて編集済情報保存部１ｆに保存されるが、ステップ５０６で選択された投稿情報が広告投稿情報である場合には、同様に処理されるが、ステップ５１６のエディタ採用ポイントの加算はなされず、また、募集投稿情報の場合も、既に投稿するときに募集情報ポイントが加算されているので、ステップ５１６のエディタ採用ポイントの加算はなされない。
【００９７】
図１６は本発明による投稿情報のネットサービスシステムの他の実施形態を示すブロック図であって、３８は管理者、３９はエディタ会議、４０は投稿者掲示板、４１はエディタ掲示板、４２は利用者、４３は投稿者にあり、前出図面に対応する部分には同一符号を付けている。
【００９８】
この実施形態は、基本的には、図１に示した実施形態と同様であるが、特に、エディタ会議を設け、各エディタのネット上の投票の議決により、エディタや会員の除名を行なうようにした点である。
【００９９】
図１６において、投稿者４３は図１での利用兼投稿者３や投稿者４に相当するものであって、図１でのサービス会社に相当する管理者３８から投稿資格のパスワードやＩＤコードが付与されている。この投稿者４３は情報を投稿し、この投稿情報はエディタ５によって編集加工されて、エデイタ５のサーバに保存される。即ち、ここでは、投稿者４３はエディタ５を指定して投稿し（投稿手段としては、図１に示した実施形態と同様、モバイル端末により、無線通信回線やネットワークを介して行なわれる）、エディタ５が、それを採用すると、それを編集加工して保存する。そして、エディタ５は、採用した投稿情報に対しては、その投稿者４３にその旨の通知と先の実施形態と同様のポイントによる評価を与え、また、不採用の場合には、その旨を投稿者４３に通知する。この場合、エディタ５は、管理者３８と契約すると、そのＩＤコードとパスワードが付与されて編集資格が与えられる。
【０１００】
ここで、管理者３８はシステム全体の管理を行なうものであって、図１でのサービス会社に相当するものであり、図示しないが、図１に示したサーバ１とほぼ同様のサーバを有して、このサーバに投稿者掲示板４０やエディタ掲示板４１が含まれている。これらは、若干機能が異なるが、図１での会員意見投稿部１ｇや会員掲示板１ｈに相当するものである。また、上記では、投稿者４３から直接エディタ５に情報を投稿するように説明したが、実際には、図１に示した実施形態と同様、この投稿情報は一旦サーバで保存され、エディタ５がその中から選択して編集し、その編集済情報をサーバに保持して利用者４２が利用できるようにしている。その他のことに関しても、図１に示した実施形態と同様である。
【０１０１】
利用者４２は図１での利用兼投稿者３や利用者２に相当するものであって、管理者３８から利用資格のパスワードやＩＤコードが付与されている。この利用者４２にエディタ５のサーバに保存される編集済情報を利用し、エディタ５は、利用回数などでもって利用者４２の評価を行なう。これも、図１に示した実施形態でのサーバ１と同様の編集済情報を保存したサーバを用いる場合には、利用者４２はこのサーバをアクセスして編集済情報を利用することになり、この場合のサーバの機能は図１に示したサーバ１と同様である。
【０１０２】
このように、利用者が編集済情報を利用する場合、その使用料を支払うことになるが、この使用料は、投稿者４３の投稿料やエディタ５の編集加工料，管理者３８への料金をなすものである。ここで、管理者３８は、図１でのサービス会社のように、システム全体を管理するものであって、利用者４２がこの管理者３８に支払う料金は、例えば、ネットワークの使用料などである。また、投稿者４３も、投稿するときには、ネットワークを使用するものであるから、その使用料を管理者３８に支払うことになる。
【０１０３】
なお、特別な場合として、利用者４２は直接投稿者４３から情報を得ることもできる。この場合には、利用者４２は投稿者４３に情報の使用料を、また、管理者３８にネットワークの使用料を夫々支払うことになる。
【０１０４】
この実施形態では、投稿者４３（即ち、投稿パスワードが付与された会員）が書き込むことができ、会員（投稿者４３や利用者４２），エディタ５のだれでもが自由に閲覧できるようにした投稿者掲示板４０と、エディタ５や会員が自由に書き込むことができて、エディタ５のみが閲覧可能なエディタ掲示板４１とが設けられている。この投稿者掲示板４０により、投稿者４３の投稿情報の宣伝などを行なうことができる。
【０１０５】
また、エディタ掲示板４１では、だれでもが投稿者４３やエディタ５の評価をすることができる。その評価が低く、会員間で評判が悪い投稿者４３やエディタ５に対しては、ネット上でエディタ５間の会議（エディタ会議）３９を開くことができ、さらに、投票により、その評判が悪い投稿者４３やエディタ５に対し、警告や除名をする決議を行なうことができる。しかし、この決議に対しては、投稿者４３やエディタ５と契約を結ぶ管理者３８に拒否権がある。除名の決議が管理者３８によっても了承された場合には、投稿者４３を除名する場合、その投稿資格パスワードを無効にして投稿できないようにし、エディタ５を除名する場合、その編集資格パスワードを無効にして投稿情報を受け取ることができないようにする。勿論、このような除名を行なう場合の通知や上記の警告は、ネットワークを介して行なわれる。
【０１０６】
このようにして、この実施形態とは、基本的には、図１に示した実施形態と同様の構成をなすものであるから、これと同様の効果が得られるものであるが、さらに、エディタ会議３９を行なって会員やエディタに対する警告や除名などの処置を行なうようにしたものであるから、公平な処置が行なわれる。
【図面の簡単な説明】
【０１０７】
【図１】本発明による投稿情報のネットサービスシステムの一実施形態を示すブロック図である。
【図２】図１におけるモバイル端末の一具体例を示す概略外観図である。
【図３】図２に示したモバイル端末の使用例を示す図である。
【図４】図１における編集済情報保存部の一具体例を模式的に示す構成図である。
【図５】図１に示す実施形態での情報や料金等の流れの具体例を示す図である。
【図６】図１における利用兼投稿者や投稿者のモバイル端末の投稿のための操作とこれに対するサーバの動作とを示すフローチャートである。
【図７】図６に示す投稿操作時にモバイル端末に表示される画面の一具体例を示す図である。
【図８】図６に示す投稿操作時にモバイル端末に表示される画面の他の具体例を示す図である。
【図９】図１における利用者や利用兼投稿者のモバイル端末のエディタ指定による情報検索のための操作とこれに対するサーバの動作とを示すフローチャートである。
【図１０】図９に示す情報の検索時にモバイル端末に表示される画面の一具体例を示す図である。
【図１１】図１における利用者や利用兼投稿者のモバイル端末のジャンル指定による情報検索のための操作とこれに対するサーバの動作とを示すフローチャートである。
【図１２】図１１に示す情報の検索時にモバイル端末に表示される画面の一具体例を示す図である。
【図１３】図１における利用者や利用兼投稿者のモバイル端末の情報のヘルプ検索のための操作とこれに対するサーバの動作とを示すフローチャートである。
【図１４】図１１に示すヘルプ検索時にモバイル端末に表示される画面の一具体例を示す図である。
【図１５】図１におけるエディタの投稿情報の編集，加工のための端末操作とこれに対するサーバの動作とを示すフローチャートである。
【図１６】本発明による投稿情報の情報サービスシステムの他の実施形態を示すブロック図である。
【符号の説明】
【０１０８】
１  サーバ
１ｃ  任意投稿情報データベース
１ｄ  広告投稿情報データベース
１ｅ  編集済情報保存部
１ｆ  募集投稿情報保存部
１ｇ  会員意見投稿部
１ｈ  会員掲示板
１ｉ  投稿情報アクセスカウンタ
１ｊ  エディタアクセスカウンタ
１ｋ  利用者課金カウンタ
１ｍ  システム管理部
１ｎ  投稿情報チェック部
１ｐ  情報評価部
１ｑ  課金部
１ｒ  監視部
１ｓ  投稿者ポイントカウンタ
２  利用者（モバイル端末）
３  利用兼投稿者（モバイル端末）
３ｈ  表示画面
３ｉ  マイクロホン
３ｍ  スピーカ
３ｐ  シャッタボタン
４，４ａ，４ｂ  投稿者（モバイル端末）
５  エディタ
６  ネットワーク
７  無線通信回線
１１  投稿情報コンテンツ
１２  編集済情報
１３  入力部
１４  現在位置近辺の地図
１５  モバイル端末の現在位置
１６  投稿募集広告欄
１７  撮影写真
１８  選択欄
２０  現在位置近辺の地図
２１  撮影対象物
２２  「投稿する」ボタン
２３  「追加」ボタン
２４  追加画面
２７  「エディタ」ボタン
２８  「ジャンル」ボタン
２９  「ヘルプ」ボタン
３０，３１  表示欄
３３  ジャンルの一覧
３４  食事のメニュー
３６  ヘルプ項目の一覧
３８  管理者
３９  エディタ会議
４０  投稿者掲示板
４１  エディタ掲示板
４２  利用者
４３  投稿者
【図１】
0004703713.tif 000002
【図２】
0004703713.tif 000003
【図３】
0004703713.tif 000004
【図４】
0004703713.tif 000005
【図５】
0004703713.tif 000006
【図６】
0004703713.tif 000007
【図７】
0004703713.tif 000008
【図８】
0004703713.tif 000009
【図９】
0004703713.tif 000010
【図１０】
0004703713.tif 000011
【図１１】
0004703713.tif 000012
【図１２】
0004703713.tif 000013
【図１３】
0004703713.tif 000014
【図１４】
0004703713.tif 000015
【図１５】
0004703713.tif 000016
【図１６】
0004703713.tif 000017